【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
着用者の肌に対向する肌対向面およびその反対側に位置する非肌対向面を有し、前胴ベルトと、後胴ベルトと、前記前後胴ベルト間に連結される股間パネルとを備え、前記前後胴ベルトの両側縁部が接合されて環状の胴回りベルトが形成されるとともに、前記股間パネルの両端部の非肌対向面がそれぞれ前記前後胴ベルトの前記肌対向面の中央部に重ね合わせて接合域において接合され、前記前後胴ベルトの上端部により胴回り開口縁が形成され、前記前後胴ベルトの下端部の両側と前記股間パネルの両側縁部とにより一対の脚回り開口縁が形成されるパンツ型の吸収性物品であって、
前記股間パネルに配置され、前記前後胴ベルトの少なくとも一方のベルトの前記下端部が重なり合う第１視認領域と、
前記前後胴ベルトの少なくとも前記一方のベルトに配置され、前記下端部に沿って延びる第２視認領域との、いずれか一方または両方の視認領域を有し、
前記第１および第２視認領域は色彩、模様、および色彩と模様の組合せのいずれかで構成され、
前記第１視認領域は、前記前後胴ベルトと対比したとき、色彩、模様、および色彩と模様の組合せの内の少なくともいずれか１つにおいて相違し、
前記第２視認領域は、前記股間パネルと対比したとき、色彩、模様、および色彩と模様の組合せの内の少なくともいずれか１つにおいて相違することを特徴とする吸収性物品。
【請求項２】
着用者の肌に対向する肌対向面およびその反対側に位置する非肌対向面を有し、前胴ベルトと、後胴ベルトと、前記前後胴ベルト間に連結される股間パネルとを備え、前記前後胴ベルトの両側縁部が接合されて環状の胴回りベルトが形成されるとともに、前記股間パネルの両端部の非肌対向面がそれぞれ前記前後胴ベルトの前記肌対向面の中央部に重ね合わせて接合域において接合され、前記前後胴ベルトの上端部により胴回り開口縁が形成され、前記前後胴ベルトの下端部の両側と前記股間パネルの両側縁部とにより一対の脚回り開口縁が形成されるパンツ型の吸収性物品であって、
前記股間パネルに配置され、前記前後胴ベルトの少なくとも一方のベルトの前記下端部が重なり合う第１視認領域と、
前記前後胴ベルトの少なくとも前記一方のベルトに配置され、前記下端部に沿って延びる第２視認領域との、いずれか一方または両方の視認領域を有し、
前記第１および第２視認領域は色彩、模様、および色彩と模様の組合せのいずれかで構成され、前記第１視認領域は目視により前記前後胴ベルトと対比したとき互いに見分けることができ、前記第２視認領域は目視により前記股間パネルと対比したとき互いに見分けることができることを特徴とする吸収性物品。
【請求項３】
前記股間パネルに前記第１視認領域が配置され、前記前後胴ベルトがそれぞれ少なくとも２層の繊維不織布で形成されるとともに前記繊維不織布の層間で間隔を置いて互いに接合され、前記下端部では前記少なくとも２層の前記繊維不織布が互いに遊離しており、
前記前後胴ベルトと前記股間パネルとを接合する前記接合域の接合下端部が、前記前後胴ベルトの前記下端部に沿って延び、
前記接合下端部から、前記前後胴ベルトの前記下端部において前記繊維不織布が互いに遊離している部分が、前記前後胴ベルトの前記上端部から前記下端部に向かう方向に延び出す請求項１または２に記載の吸収性物品。
【請求項４】
前記股間パネルに前記第１視認領域が配置され、前記前後胴ベルトの少なくとも一方に、前記股間パネルに配置された前記第１視認領域の一部と重なり合う遮蔽シートを備える請求項１〜３のいずれかに記載の吸収性物品。
【請求項５】
前記遮蔽シートが、前記前後胴ベルトの前記下端部において前記繊維不織布が互いに遊離する部分には存在しない請求項４に記載の吸収性物品。
【請求項６】
前記前後胴ベルトの全光線透過率（ＪＩＳ−Ｋ７１０５）が６０％以下である請求項１〜５のいずれかに記載の吸収性物品。
【請求項７】
前記前後胴ベルトの少なくとも一方に前記第２視認領域が配置され、
前記前後胴ベルトがそれぞれ少なくとも２層の繊維不織布で形成されるとともに前記繊維不織布の層間で間隔を置いて互いに接合され、前記下端部では前記少なくとも２層の繊維不織布が互いに遊離しており、
前記前後胴ベルトと前記股間パネルとを接合する前記接合域の接合下端部が、前記前後胴ベルトの前記下端部に沿って延び、
前記接合下端部から、前記前後胴ベルトの前記下端部において前記繊維不織布が互いに遊離している部分が、前記前後胴ベルトの前記上端部から前記下端部に向かう方向に延び出し、前記第２視認領域に前記接合下端部が重なり合う請求項１または２に記載の吸収性物品。
【請求項８】
前記前後胴ベルトの前記下端部の少なくとも一部が直線状である請求項１〜７のいずれかに記載の吸収性物品。
【請求項９】
前記前後胴ベルトの形状がそれぞれ矩形であり、前記前後胴ベルトの前記両側縁部の長さの差が０〜１０ｍｍの範囲内にある請求項１〜８のいずれかに記載の吸収性物品。
【請求項１０】
前記股間パネルの両側縁部に沿って前記縦方向に延び、バリアカフ弾性部材が伸長状態で取り付けられた一対のバリアカフを備える請求項１〜９のいずれかに記載の吸収性物品。
【請求項１１】
前記縦方向において、前記バリアカフの最大伸長時における有効伸長寸法が、前記前胴ベルトの下端縁から前記後胴ベルトの下端縁までの離間寸法よりも大きい請求項１０に記載の吸収性物品。
【手続補正２】
【補正対象書類名】明細書
【補正対象項目名】００４０
【補正方法】変更
【補正の内容】
【００４０】
上記の本発明に係る吸収性物品は、少なくとも下記の実施の形態において、互いに分離又は組み合わせて採択することができる。
（１）股間パネルに第１視認領域が配置され、前後胴ベルトがそれぞれ少なくとも２層の繊維不織布で形成されるとともに繊維不織布の層間で間隔を置いて互いに接合され、下端部では少なくとも２層の繊維不織布が互いに遊離しており、前後胴ベルトと股間パネルとを接合する接合域の接合下端部が、前後胴ベルトの下端部に沿って延び、接合下端部から、前後胴ベルトの下端部において繊維不織布が互いに遊離している部分が、前後胴ベルトの上端部から下端部に向かう方向に延び出す。
（２）股間パネルに第１視認領域が配置され、前後胴ベルトの少なくとも一方に、股間パネルに配置された第１視認領域の一部と重なり合う遮蔽シートを備える。
（３）遮蔽シートが、前後胴ベルトの下端部において繊維不織布が互いに遊離する部分には存在しない。
（４）前後胴ベルトの全光線透過率（ＪＩＳ−Ｋ７１０５）が６０％以下である。
（５）前後胴ベルトの少なくとも一方に第２視認領域が配置され、前後胴ベルトがそれぞれ少なくとも２層の繊維不織布で形成されるとともに繊維不織布の層間で間隔を置いて互いに接合され、下端部では少なくとも２層の繊維不織布が互いに遊離しており、前後胴ベルトと股間パネルとを接合する接合域の接合下端部が、前後胴ベルトの下端部に沿って延び、接合下端部から、前後胴ベルトの下端部において繊維不織布が互いに遊離している部分が、前後胴ベルトの上端部から下端部に向かう方向に延び出し、第２視認領域に接合下端部が重なり合う。
（６）前後胴ベルトの下端部の少なくとも一部が直線状である。
（７）前後胴ベルトの形状がそれぞれ矩形であり、前後胴ベルトの両側縁部の長さの差が０〜１０ｍｍの範囲内にある。
（８）股間パネルの両側縁部に沿って縦方向に延び、バリアカフ弾性部材が伸長状態で取り付けられた一対のバリアカフを備える。
（９）縦方向において、バリアカフの最大伸長時における有効伸長寸法が、前胴ベルトの下端縁から後胴ベルトの下端縁までの離間寸法よりも大きい。